(57)【要約】      （修正有）【課題】記録媒体から再生される画像データを、放送等の画像データと同一のデコード装置が使用できるようにする。【解決手段】記録媒体１から読み出した画像データをメモリ手段６に蓄える。メモリ制御回路７は、該画像データの中の一部（パックヘッダ）を読み出させる。パックヘッダ解析回路９は、該読み出した部分に含まれていた再生クロック情報およびビットレート情報を取り出す。比較器１０は、再生クロック情報と、基準クロック発生器１１が発生する基準クロックトとを比較し、その結果を、メモリ制御回路７へ出力する。メモリ制御回路７は、該比較結果およびビットレート情報に基づいて、メモリ６からのデータの読み出しを制御する。一方、伝送パケット生成手段８は、読み出された画像データをパケット化した後、バスへ出力する。【選択図】図１
2010051002.tif 000002
【特許請求の範囲】
【請求項１】
再生のタイミングを示す再生クロック情報と、ビットレート情報とを有するヘッダを含んで構成され、且つ、符号化された、ビデオ・オーディオデータが記録されている記録媒体の再生装置において、
上記記録媒体からビデオ・オーディオデータを読み出すデータ読み出し手段と、
上記読み出された再生データを一時格納するメモリ手段と、
上記メモリ手段からの再生データの読み出しを制御するメモリ制御手段と、
上記メモリ手段から読み出された再生データに含まれているヘッダを解析し、上記再生クロック情報および上記ビットレート情報を抽出するヘッダ情報解析手段と、
上記ビデオ・オーディオデータを上記メモリ手段から読み出すタイミングの判定基準となる基準クロック情報を発生させる基準クロック情報発生手段と、
上記ヘッダ情報解析手段の抽出した上記再生クロック情報と、上記基準クロック情報とを比較するクロック情報比較手段と、
上記メモリ手段から読み出された再生データを、本再生装置の外部に送出するインタフェース手段と、を備え、
上記メモリ制御手段は、上記クロック情報比較手段による比較結果および上記ヘッダ情報解析手段の抽出した上記ビットレート情報に基づいて、上記メモリ手段からの再生データの読み出しを制御するものであること、
を特徴とするビデオ・オーディオデータの再生装置。
【請求項２】
上記メモリ制御手段は、上記再生クロック情報の示すタイミングにおいて、当該再生クロック情報の含まれていたヘッダに対応する再生データを、上記メモリ手段から読み出し始めさせるとともに、上記ビットレート情報に従って該読み出しを断続するものであること、
を特徴とするビデオ・オーディオデータの再生装置。
【請求項３】
上記メモリ手段から読み出された再生データをパケット化する伝送パケット生成手段を備え、
前記インタフェース手段は、上記伝送パケット生成手段によってパケット化された再生データを送出するものであること、
を特徴とする請求項１記載のビデオ・オーディオデータの再生装置。
【請求項４】
前記伝送パケット生成手段は、ビデオデータとオーディオデータとを、別々のパケットにするものであること、
を特徴とする請求項３記載のビデオ・オーディオデータの再生装置。
【請求項５】
前記インタフェース手段は、外部から入力されるコマンドの入力を受け付けるものであること、
を特徴とする請求項１記載のビデオ・オーディオデータの再生装置。
【請求項６】
上記ヘッダ情報解析手段と、上記基準クロック情報発生手段と、上記クロック情報比較手段と、のうちの少なくとも１つは、マイクロプロセッサを含んで構成されること、
を特徴とする請求項１記載のビデオ・オーディオデータの再生装置。
【請求項７】
上記伝送パケット生成手段は、マイクロプロセッサを含んで構成されること、
を特徴とする請求項３記載のディジタルビデオ・オーディオデータの再生装置。
【請求項８】
符号化されたビデオ・オーディオデータが記録されている記録媒体の再生装置において、
上記記録媒体からビデオ・オーディオデータを読み出すデータ読み出し手段と、
上記データ再生手段が読み出したデータ（以下”再生データ”と呼ぶ）を一時格納するメモリ手段と、
本再生装置の外部に再生データを送出するとともに、外部から入力されるコマンドおよび再生データの要求信号を受け付けるインタフェース手段と、
前記インタフェースの受け付けた再生データの要求信号に基づいて前記メモリ手段からの再生データの読み出しを制御するメモリ制御手段を有すること、
を特徴とするビデオ・オーディオデータの再生装置。
【請求項９】
上記メモリ制御手段は、マイクロプロセッサを含んで構成されること、
を特徴とする請求項８記載のビデオ・オーディオデータの再生装置。
【請求項１０】
再生データをパケット化する伝送パケット生成手段を備え、
前記インタフェース手段は、上記伝送パケット生成手段によってパケット化された再生データを送出するものであること、
を特徴とする請求項８記載のビデオ・オーディオデータの再生装置。
【請求項１１】
上記伝送パケット生成手段は、マイクロプロセッサを含んで構成されること、
を特徴とする請求項１０記載のビデオ・オーディオデータの再生装置。
【請求項１２】
符号化されたビデオ・オーディオデータが記録されている記録媒体の再生装置と、符号化されたビデオ・オーディオデータを復号化する手段を有するデコード装置と、音声および／または画像を出力可能な出力装置と、を含んで構成されたビデオ・オーディオデータの再生システムにおいて、
上記再生装置は、メモリを備え、符号化されたままのビデオ・オーディオデータを上記記録媒体から読み出して該メモリに一旦格納した後、所定のタイミングで、上記デコード装置へ送出するものであり、
上記デコーダ装置は、メモリを備え、上記再生装置から順次送られてくる符号化されたままのビデオ・オーディオデータを、該メモリに一旦格納した後復号し、上記出力装置から音声および／または画像として出力させるものであり、
上記デコーダ装置は、さらに、上記再生装置へ動作の命令信号を送出するものであり、
上記再生装置は、さらに、上記デコーダ装置から送られてくる命令信号に従って動作するものであること、
を特徴とするビデオ・オーディオデータの再生システム。
【発明の詳細な説明】
【技術分野】
【０００１】
高能率符号化手段を用いて生成した画像ならびに音声信号のデータを記録した記録媒体から、画像ならびに音声データを再生する装置に関する。
【背景技術】
【０００２】
画像データはデータ量が大きい。従って、画像信号をディジタル的に媒体に記録する場合には、高能率符号化手段でデータを圧縮した画像ならびに音声データを媒体に記録するのが効率的である。該圧縮は、冗長性等を除去すること等によって行われる。このような記録媒体の再生装置は、例えば特開平６−１６５１２５号公報に開示されている。該公報に開示されている再生装置の概要を以下において説明する。
【０００３】
該再生装置は、再生した画像ならびに音声の圧縮データの復号手段を含んで構成されている。なお、記録媒体にはディスク型のものを用いている。
【０００４】
ディスクから読み取られたデータは、バッファ手段を介して復号手段に供給され、ここで復合される。該復号された画像ならびに音声信号が、外部へ出力される。ディスクからのデータの読み取りは、バッファ手段におけるデータ占有率に基づいて制御されている。これにより、所定時間あたりの符号量が一定でなく、部分部分で変化する可変レート符号化した画像データにも適用ができるようになっている。
【先行技術文献】
【特許文献】
【０００５】
【特許文献１】特開平６−１６５１２５号公報
【発明の概要】
【発明が解決しようとする課題】
【０００６】
しかし、従来のビデオ、情報機器等においては、装置毎にデータの構造、格納方法等が異なっている。そのため、種類が異なる機器間で同じデータを取り扱うことが困難であった。あらゆるメディアを統合したマルチメディア化が進められている現在、記録媒体、放送、通信等にまたがってインタオペラビリティが得られるシステムの形態が利用者の使い勝手の上で強く望まれている。
【０００７】
また、高能率符号化は、上記媒体へ情報を記録する場合のみならず、画像信号をディジタル方式で放送したり通信したりする場合にも有効である。
【０００８】
本発明の目的は、放送、通信とのインタオペラビリティを有する記録媒体の再生装置を提供することにある。
【課題を解決するための手段】
【０００９】
本発明は上記目的を達成するためになされたもので、その第１の態様としては、再生のタイミングを示す再生クロック情報と、ビットレート情報とを有するヘッダを含んで構成され、且つ、符号化された、ビデオ・オーディオデータが記録されている記録媒体の再生装置において、上記記録媒体からビデオ・オーディオデータを読み出すデータ読み出し手段と、上記読み出された再生データを一時格納するメモリ手段と、上記メモリ手段からの再生データの読み出しを制御するメモリ制御手段と、上記メモリ手段から読み出された再生データに含まれているヘッダを解析し、上記再生クロック情報および上記ビットレート情報を抽出するヘッダ情報解析手段と、上記ビデオ・オーディオデータを上記メモリ手段から読み出すタイミングの判定基準となる基準クロック情報を発生させる基準クロック情報発生手段と、上記ヘッダ情報解析手段の抽出した上記再生クロック情報と、上記基準クロック情報とを比較するクロック情報比較手段と、上記メモリ手段から読み出された再生データを本再生装置の外部に送出するインタフェース手段と、を備え、上記メモリ制御手段は、上記クロック情報比較手段による比較結果および上記ヘッダ情報解析手段の抽出した上記ビットレート情報に基づいて、上記メモリ手段からの再生データの読み出しを制御するものであること、を特徴とするビデオ・オーディオデータの再生装置が提供される。
【００１０】
上記メモリ制御手段は、上記再生クロック情報の示すタイミングにおいて、当該再生クロック情報の含まれていたヘッダに対応する再生データを、上記メモリ手段から読み出し始めさせるとともに、上記ビットレート情報に従って該読み出しを断続するものであることが好ましい。
【００１１】
上記メモリ手段から読み出された再生データをパケット化する伝送パケット生成手段を備え、前記インタフェース手段は、上記伝送パケット生成手段によってパケット化された再生データを送出するものであることが好ましい。
【００１２】
前記伝送パケット生成手段は、ビデオデータとオーディオデータとを、別々のパケットにするものであることが好ましい。
【００１３】
前記インタフェース手段は、外部から入力されるコマンドの入力を受け付けるものであることが好ましい。
【００１４】
上記ヘッダ情報解析手段と、上記基準クロック情報発生手段と、上記クロック情報比較手段と、のうちの少なくとも１つは、マイクロプロセッサを含んで構成されることが好ましい。
【００１５】
上記伝送パケット生成手段は、マイクロプロセッサを含んで構成されることが好ましい。
【００１６】
本発明の第２の態様としては、符号化されたビデオ・オーディオデータが記録されている記録媒体の再生装置において、上記記録媒体からビデオ・オーディオデータを読み出すデータ読み出し手段と、上記データ再生手段が読み出したデータ（以下”再生データ”と呼ぶ）を一時格納するメモリ手段と、本再生装置の外部に再生データを送出するとともに、外部から入力されるコマンドおよび再生データの要求信号を受け付けるインタフェース手段と、前記インタフェースの受け付けた再生データの要求信号に基づいて前記メモリ手段からの再生データの読み出しを制御するメモリ制御手段を有すること、を特徴とするビデオ・オーディオデータの再生装置が提供される。
【００１７】
上記メモリ制御手段は、マイクロプロセッサを含んで構成されることが好ましい。
【００１８】
再生データをパケット化する伝送パケット生成手段を備え、前記インタフェース手段は、上記伝送パケット生成手段によってパケット化された再生データを送出するものであることが好ましい。
【００１９】
上記伝送パケット生成手段は、マイクロプロセッサを含んで構成されることが好ましい。
【００２０】
本発明の第３の態様としては、符号化されたビデオ・オーディオデータが記録されている記録媒体の再生装置と、符号化されたビデオ・オーディオデータを復号化する手段を有するデコード装置と、音声および／または画像を出力可能な出力装置と、を含んで構成されたビデオ・オーディオデータの再生システムにおいて、上記再生装置は、メモリを備え、符号化されたままのビデオ・オーディオデータを上記記録媒体から読み出して該メモリに一旦格納した後、所定のタイミングで、上記デコード装置へ送出するものであり、上記デコーダ装置は、メモリを備え、上記再生装置から順次送られてくる符号化されたままのビデオ・オーディオデータを、該メモリに一旦格納した後復号し、上記出力装置から音声および／または画像として出力させるものであり、上記デコーダ装置は、さらに、上記再生装置へ動作の命令信号を送出するものであり、上記再生装置は、さらに、上記デコーダ装置から送られてくる命令信号に従って動作するものであること、を特徴とするビデオ・オーディオデータの再生システムが提供される。
【００２１】
第１の態様について説明する。  データ読み出し手段は、記録媒体からビデオ・オーディオデータを読み出し、メモリ手段に格納する。インタフェース手段は、メモリ手段から読み出された再生データを外部に送出する。なお、伝送パケット生成手段を有している場合には、インタフェース手段は伝送パケット生成手段がパケット化した再生データを送出する。伝送パケット生成手段が、ビデオデータとオーディオデータとを、別々のパケットにする場合には、伝送パケットを通信等の伝送方式に合わせることができる。
【００２２】
ヘッダ情報解析手段は、メモリ手段から読み出された再生データに含まれているヘッダを解析し、再生クロック情報およびビットレート情報を抽出する。一方、基準クロック情報発生手段は、ビデオ・オーディオデータをメモリ手段から読み出すタイミングの判定基準となる基準クロック情報を発生させている。クロック情報比較手段は、ヘッダ情報解析手段の抽出した再生クロック情報と、基準クロック情報とを比較する。メモリ制御手段は、クロック情報比較手段による比較結果およびヘッダ情報解析手段の抽出したビットレート情報に基づいて、メモリ手段からの再生データの読み出しを制御する。つまり、メモリ制御手段は、再生クロック情報の示すタイミングにおいて、その再生クロック情報の含まれていたヘッダに対応する再生データを、メモリ手段から読み出し始めさせる。この場合、ビットレート情報に従って該読み出しを断続する。これにより、再生したクロック情報の時間間隔を保つと共に、伝送するビットレートが、略再生したビットレート情報に合うようにする。
【００２３】
インタフェース手段は、外部から入力されるコマンドの入力を受け付けるようにしてもよい。
【００２４】
マイクロプロセッサを含んで構成した回路に、ヘッダ情報解析手段、基準クロック情報発生手段、クロック情報比較手段、伝送パケット生成手段を兼ねさせれば装置コストを低減できる。
【００２５】
本発明の第２の態様の作用を説明する。  データ読み出し再生手段は、記録媒体からビデオ・オーディオデータを読み出して、メモリ手段に格納する。
【００２６】
インタフェース手段は、メモリ手段から読み出された再生データを、外部に再生データを送出する。なお、伝送パケット生成手段を有している場合には、インタフェース手段は伝送パケット生成手段がパケット化した再生データを送出する。また、インタフェース手段は、外部から入力されるコマンドおよび再生データの要求信号を受け付ける。
【００２７】
メモリ制御手段は、インタフェースの受け付けた再生データの要求信号に基づいてメモリ手段からの再生データの読み出しを制御する。
【００２８】
なお、マイクロプロセッサを含んで構成した回路に、伝送パケット生成手段、メモリ制御手段を兼ねさせれば、装置コストを低減できる。
【００２９】
本発明の第３の態様について説明する。  再生装置は、符号化されたままのビデオ・オーディオデータを記録媒体から読み出してメモリに一旦格納した後、所定のタイミングで、デコード装置へ送出する。デコーダ装置は、再生装置から順次送られてくる符号化されたままのビデオ・オーディオデータを、メモリに一旦格納する。そして、これを復号し、出力装置から音声および／または画像として出力させる。
【００３０】
また、デコーダ装置は、再生装置へ動作の命令信号を送出する。再生装置は、デコーダ装置から送られてくる命令信号に従って動作する。
【００３１】
以上説明したとおり、本発明のビデオ・オーディオデータ再生装置は、符号化されたままのビデオ・オーディオデータを送出できる。デコーダ・ディスプレイ装置は、放送や通信のデーコーダが送出する受信データを復号するのと同じく、データのオーバフローやアンダーフローなしで、ビデオ・オーディオデータ再生装置の再生データを復号することが可能となる。
【発明の効果】
【００３２】
以上説明したように本発明では、記録媒体の再生装置から符号化されたままのビデオ・オーディオデータを出力可能であり、放送、通信などのレシーバとのインタオペラビリティが得られる様なシステムが実現できる。また、各再生装置およびシステムのコストを低減することができる。
【図面の簡単な説明】
【００３３】
【図１】本発明の第１の実施例であるビデオ・オーディオデータの再生装置の構成を示すブロック図である。
【図２】本発明のビデオ・オーディオデータの再生装置の再生データ伝送方法の一例を示す図である。
【図３】本発明のビデオ・オーディオデータの再生シムテムの例を示すブロック図である。
【図４】本発明の第２の実施例であるビデオ・オーディオデータの再生装置の構成を示すブロック図である。
【図５】本発明の第３の実施例であるビデオ・オーディオデータの再生装置の構成を示すブロック図である。
【図６】本発明のビデオ・オーディオデータの再生シムテムにおけるデーコーダ・ディスプレイ装置の例を示すブロック図である。
【図７】本発明の第４の実施例であるビデオ・オーディオデータの再生装置の構成を示すブロック図である。
【図８】本発明の第５の実施例であるビデオ・オーディオデータの再生装置の構成を示すブロック図である。
【発明を実施するための形態】
【００３４】
以下本発明の実施例を添付した図面を用いて説明する。
【実施例１】
【００３５】
第１の実施例
本実施例のディジタルビデオ・オーディオデータの再生装置（ビデオディスクプレーヤ）を図１を用いて説明する。図１において、符号１を付したのは記録媒体となる光ディスクである。同様に、符号２は光ディスク１の回転駆動部を、３はピックアップを、４はピックアップ３のトラッキング制御部を、５は再生信号処理回路を、６はメモリを、７はメモリ制御回路を、８は伝送パケット生成回路を、９はパックヘッダ解析回路を、１０は比較回路を、１１は基準クロック発生回路を、１２は伝送バスインタフェースを指している。
【００３６】
光ディスク１には、画像データ、音声データおよびこれらの付加データ（例えば、音声データ等のディレクトリ情報）が統合されて記録されている。なお、これらのデータは、高能率符号化によって符号量を圧縮した状態で記録されている。また、光ディスク１上にはスパイラル状に記録トラックが形成されており、上述のデータは、該記録トラックに従って記録されている。
【００３７】
回転駆動部２は光ディスク１を例えば線速度一定となるよう回転させる。
【００３８】
ピックアップ３は、レーザ光を光ディスク１に照射し、その反射光を検出することで光ディスク１に記録されているデータを読み取る。このとき、トラッキング制御部４は、所望のデータが記録されているトラックに前記レーザ光が照射されるようにピックアップ３の位置を制御している。
【００３９】
再生信号処理回路５は、誤り訂正回路を含んで構成されており、ピックアップ３が読み出した再生データに誤り訂正を行った後メモリ６に送出する。この再生データのメモリ６への送出は、メモリ制御回路７からのデータ要求（リクエスト）に応じて行う。また再生信号処理回路５は、送出する再生データの連続性を管理しており、所望の再生データが送出できるよう前記トラッキング制御部４にトレースすべき再生トラック情報を出力している。
【００４０】
メモリ６はファーストイン・ファーストアウト（ＦＩＦＯ）タイプのメモリである。該メモリ６は、メモリ制御回路７からの指示に従って、格納されている再生データを、伝送パケット生成回路８およびパックヘッダ解析回路９に出力する。
【００４１】
ところで、光ディスク１から読み出され、メモリ６に蓄えられた再生データは、図２（ａ）に示すとおり、パックヘッダと、ビデオデータで構成されるビデオパケットと、オーディオデータで構成されるオーディオパケットと、付加データで構成される付加データパケットと、から構成されている。パックヘッダには、再生クロック情報やビットレート情報等を統合したヘッダ情報が含まれている。さらに、これら各々のデータの一個もしくは複数個のパケットが集まって、パックを構成している。なお、図２（ａ）は再生データを時系列に示したものである。該図２（ａ）において、左側に位置するデータほどディスク１から先に読み出されたデータであり、該メモリ６からも先に読み出される。
【００４２】
伝送パケット生成回路８は、メモリ６から送られてきた再生データを、伝送パケット化し、該伝送パケットごとに伝送バスインタフェース１２を介して伝送バスに送出する。図２（ｂ）に、伝送パケット生成回路８の出力の様子を、読み出す時刻と共に示した。図２（ｃ）は図２（ｂ）の時間軸を拡大して示したものである。
【００４３】
該伝送バス（図１参照）は双方向性を有するものであり、再生データの送出のみならず、外部から送られてくる各種コマンド（例えば、光ディスク１の再生，停止コマンド）の受け取り、および、これらのコマンドに対しステータス情報等を送り返すのに用いられる。
【００４４】
一方、パックヘッダ解析回路９は、メモリ６から入力された再生データ中のパックヘッダに含まれているクロック情報（再生クロック情報）、ビットレート情報を解析する。そして、再生クロック情報についての解析結果を比較回路１０に送出する。また、ビットレート情報についての解析結果を前記メモリ制御回路７に送出する。なお、パックヘッダ解析回路９は、可変レート符号化された再生データに対しては、ビットレートの最大値をビットレート情報とみなすようになっている。
【００４５】
比較回路１０は、上述した再生クロック情報と、自走発信器を内部に含む基準クロック発生回路１１の生成する基準クロック情報と、を比較し、その結果をメモリ制御回路７へ出力する。すなわち、該比較回路１０は、パワーオン後（あるいは他のモードから通常再生モードに復帰した後）に行う初期化動作において、その時最初に読み出されたパックヘッダに含まれていた再生クロック情報を、基準クロック情報のプリセット値とする。それ以後は、該プリセットされた基準クロック情報の値と、順次送られてくる再生クロック情報とを比較する。該比較回路１０は、比較結果をメモリ制御回路７へ出力している。
【００４６】
メモリ制御回路７は、ビットレート情報、および、比較回路１０から入力される比較結果に基づいて、メモリ６からの読み出し等を制御する。該制御は、伝送パケット生成回路８の出力上で、所定区間（例えば、図２（ｂ）のＴ１〜Ｔ２の区間）ごとの平均伝送ビットレートが、前記ビットレート情報に略一致するように行うものである。例えば、再生クロック情報の示す時刻がＴ１であった場合を考える。この時、基準クロック情報の示している時刻がまだＴ１になっていないのであれば、メモリ制御部７は、メモリ６からの再生データの読み出しを停止させる。また、時刻Ｔ１からは、当該再生情報を含むパックヘッダの属している一パック分の再生データの読み出しを開始させる。なお、この場合の読み出しはビットレート情報に従って断続的に行なわれる。これにより、再生データは、一つの伝送パケット分に相当する大きさに区切られて、メモリ６から読み出される（図２（ｂ），（ｃ）参照）。
【００４７】
本実施例のビデオディスクプレーヤを含んで構成される、ディジタルビデオ・オーディオデータの再生システムの一例を図３に示した。
【００４８】
該システムは、ビデオディスクプレーヤ５００と、放送レシーバー２００と、通信レシーバ３００と、ビデオテープレコーダ４００と、ビデオカメラ６００と、デコーダ・ディスプレイ装置１００と、を統合して構成されている。
【００４９】
デコーダ・ディスプレイ装置１００は、ポインティングデバイス１０１、デクリプションカード１０２、伝送バスインタフェース１０３、バッファ１０４，１０５、ビデオ復号器１０６、オーディオ復号器１０７、ポインティングデバイスインタフェース１０８、ＩＣカードインタフェース部１０９、ディスプレイ，スピーカを含む表示部１１０、伝送バスのターミネータ６０１、からなる。
【００５０】
デコーダ・ディスプレイ装置１００から始まる伝送バスは、放送レシーバ２００、通信レシーバ３００、ビデオテープレコーダ４００を介し、ビデオディスクプレーヤ５００にディイジーチェーン状につなげられている。さらにビデオディスクプレーヤ５００からもビデオカメラ６００に接続されている。なお、これら機器１００〜６００の接続順序については本図に限定されるものではない。
【００５１】
放送レシーバ２００、通信レシーバ３００、ビデオテープレコーダ４００、ビデオディスクプレーヤ５００、およびビデオカメラ６００等は、オーディオ，ビデオデータを受信あるいは再生すると、これを符号化した上で伝送バスへ出力する。
【００５２】
伝送バスは、オーディオ，ビデオデータを、デコーダ・ディスプレイ装置１００に伝送する。伝送バスを通じて入力されたデータは、伝送バスインタフェース１０３、バッファ１０４，１０５を介して、ビデオ復号器１０６、オーディオ復号器１０７に入力される。ビデオ復号器１０６、オーディオ復号器１０７は、この符号化されているデータを復号し、画像データ、音声データとして表示部１１０に表示させる。
【００５３】
オーディオ、ビデオ等のデータは、秘匿化のためにスクランブルされている場合がある。デクリプションカード１０２は、この秘匿化を解除させるために用いられる。該デクリプションカード１０２は、該スクランブルを解除するための情報等が格納されている。これをＩＣカードインタフェース１０９に差し込むことで、スクランブルが解除されるようになっている。
【００５４】
ポインティングデバイス１０１を用いて指示される利用者のコマンドは、ポインティングデバイスインタフェース１０８、伝送バスインタフェース１０３、伝送バスを介して、放送レシーバ２００〜ビデオカメラ６００のうちの所定の装置に向け送出される。これにより利用者は、例えば、特定チャンネルの受信を放送レシーバ２００に命令したり、プレイ，ストップ等の動作をビデオディスクプレーヤ５００に命令することができる。その結果、リモコン等の制御装置を各装置ごとに用意する必要がなくなる。また、各装置のオーディオ、ビデオ出力を手動で切り替えることなく、ひとつのポインティングデバイス１０１で全ての機器をコントロールできる。
【００５５】
このシステムでは、ビデオ復号器１０６、オーディオ復号器１０７を、各装置に備える必要がないため、システムのトータルコストを低減できる。
【００５６】
さらに付け加えれば、光ディスク１に格納されるビデオ，オーディオデータをスクランブルしておけば、ディクリプションカード１０２なしでは表示等できないようになる。これにより、光ディスク１に格納されているデータを、ビデオテープレコーダ４００を用いて違法にコピーしたとしても、コピーしたデータを実質上意味のないものとすることができる。
【実施例２】
【００５７】
本発明の第２の実施例を説明する。
【００５８】
該第２の実施例の再生装置も第１の実施例（図１）の再生装置と同様に、図３のシステムの伝送バスに接続して使用することを前提としている。
【００５９】
該第２の実施例のディジタルビデオ・オーディオデータの再生装置の構成を図４に示した。第１の実施例（図１）と同一の機能を有するブロックは同一の番号を付けている。符号１３の付された部分は、付加データ抽出・伝送パケット生成回路である。同様に、符号１４はオーディオデータ抽出・伝送パケット生成回路、１５はビデオデータ抽出・伝送パケット生成回路、１６はパックヘッダ解析・伝送パケット生成回路、１７は再多重化回路を指している。
【００６０】
ピックアップ３、再生信号処理回路５等は、メモリ制御部７からの指示に従って、ディスク１に記録されているデータを読み出す。そして、読み出したデータを、再生データとしてメモリ６へ格納する。また、該再生データは、メモリ制御部７からの指示に従って適宜読み出されて、パックヘッダ解析・伝送パケット生成回路１６、付加データ抽出・伝送パケット生成回路１３、オーディオデータ抽出・伝送パケット生成回路１４、ビデオデータ抽出・伝送パケット生成回路１５に送出される。なお、メモリ制御部７が再生信号処理回路５，メモリ６に出す指示は、パックヘッダ解析・電送パケット生成回路１６から入力されるビットレート情報、および、比較回路１０から入力される基準クロックと再生クロックとの比較結果に応じて決定されたものである。
【００６１】
回路１３〜１６の各々は、再生データの中から特定の内容（種類）のデータのみを抽出し、該抽出したデータのみで構成された伝送パケットを生成する。例えば、付加データ抽出伝送パケット生成回路１３はメモリ６から送られてきたデータの中から付加データのみを抽出する。さらに、この抽出した付加データを適宜まとめることで、付加データ伝送パケットを生成する。そして、この付加データ伝送パケットを、再多重化回路１４に出力する。
【００６２】
同様に、オーディオデータ抽出・伝送パケット生成回路１４は、オーディオデータを抽出してオーディオデータ伝送パケットを生成し、これを再多重化回路１４に出力する。また、ビデオデータ抽出・伝送パケット生成回路１５は、ビデオデータを抽出してビデオデータ伝送パケットを生成し、これを再多重化回路１４に出力する。
【００６３】
なお、本実施例における再生データの構成は、第１の実施例の場合と同様である（図２（ａ）参照）。
【００６４】
再多重化回路１４は、伝送パケット化された付加データ、オーディオデータ、ビデオデータ、パックヘッダ情報を伝送パケット単位で再多重する。そして、該再多重化によって得られた信号を、伝送バスインタフェース１２を介して送出する。
【００６５】
一方、パックヘッダ解析・伝送パケット生成回路１６は、第１の実施例で示したパックヘッダ解析回路９（図１参照）と同様、パックヘッダの中からクロック情報およびビットレート情報を抽出する。そして、クロック情報は比較回路１０へ、また、ビットレート情報はメモリ制御回路７へ、直接送出する。
【００６６】
本実施例では、データの種類（オーディオデータ、ビデオデータ、パックヘッダ）ごとに別個に抽出して伝送パケットを生成するようにしているため、生成する伝送パケットの構成を、放送や通信の伝送形式に合わせて変更できる。例えば、伝送パケット長を定めたり、伝送パケット毎に伝送パケットヘッダを付加することができる。そのため、放送や通信の受信データと同一フォーマットのビットストリーム（例えば、ＭＰＥＧにおけるＴｒａｎｓｐｏｒｔ  Ｓｔｒｅａｍ）を出力することが可能である。これによりデコーダ・ディスプレイ装置１００は、伝送バスを通じて入力されたデータを、当該データの由来（例えば、記録媒体を再生することで得られたデータであるか、あるいは、放送等を受信することで得られたデータであるか）によって区別することなく、同一の方法および手段（復号器１０６，１０７）で、ビデオやオーディオに復号できる。従って、デコーダ・ディスプレイ装置１００の簡素化に役立つ。
【実施例３】
【００６７】
本発明の第３の実施例を説明する。
【００６８】
該第３の実施例の再生装置は、外部からの指示（リクエスト）に応じてディスクからのデータ読み出し動作が制御されることを特徴とするものである。
【００６９】
該実施例のディジタルビデオ・オーディオデータの再生装置の構成を図５に示した。符号１８を付したのは、再生データのリクエスト検出回路である。第１の実施例（図１）と同一の機能を有するブロックには、同一の番号を付けている。
【００７０】
ディスク１からのデータの読み出しは、メモリ制御回路７’からの指示に従って、ピックアップ３、再生信号処理回路５等によって行われる。そして、読み出されたデータは、メモリ６に格納される。但し、本実施例のメモリ制御回路７’は、外部から入力されるリクエストに従って動作している。
【００７１】
メモリ制御回路７’からの指示に従ってメモリ６から読み出された再生データは、第１の実施例と同様、伝送パケット生成回路８、伝送バスインタフェース１２を介して外部の伝送バスに送出される。
【００７２】
一方、伝送バスからは、一般のコマンド以外に再生データのリクエスト信号が送られてくる。
【００７３】
データリクエスト検出回路１８は、該リクエスト信号を検出し、メモリ制御回路７へ伝える。メモリ制御回路７は、該リクエスト信号が送信要求状態である場合に限って、再生データをメモリ６より読み出させる。
【００７４】
なお、デコーダ・ディスプレイ装置１００（図２参照）の伝送バスに本実施例の再生装置をつないで使用する場合には、デコーダ・ディスプレイ装置１００の一部（ビデオ復号器１０２、オーディオ復号器１０４等）を変更する必要がある。つまり、放送レシーバ２００や通信レシーバ３００の受信データを復号する場合と、ビデオディスクプレーヤなどの再生データを復号する場合とで、復号手順の一部を変更する必要がある。
【００７５】
該第３の実施例に対応したデコーダ・ディスプレイ装置１００’を図６に示した。デコーダ・ディスプレイ装置１００’は、デコーダ・ディスプレイ装置１００（図３参照）に比べ、バッファ占有率チェック回路１１１が加えられている。バッファ占有率チェック回路１１１は、バッファ１０４，１０５の空き具合を監視している。そして、バッファ１０４，１０５に新たなデータを書き込む余裕がある場合には、伝送バスインタフェース１０３を介して、上述のリクエスト信号を送出するようになっている。
【００７６】
該第３の実施例の再生装置は、パックヘッダ解析回路９やクロック情報の比較回路１２等が不要であり低コスト化が可能である。
【実施例４】
【００７７】
本発明の第４の実施例を用いて説明する。
【００７８】
該第４の実施例は、伝送パケットの生成、パックヘッダの解析等をマイクロプロッサを用いて行うようにしたものである。つまり、本実施例では後述するマイクロプロセッサ２０が、実施例１におけるメモリ制御回路７、伝送パケット生成回路８、パックヘッダ解析回路９、比較器１０の機能を果たしている。
【００７９】
本実施例の再生装置の構成は、図７に示すとおりである。符号１９を付した部分は第２のメモリである。同様に、符号２０はマイクロプロセッサ、２１はシステムインタフェースを指している。なお、第１の実施例（図１）と同一の機能を有するブロックは同一の番号を付けている。以下の説明では、便宜上、メモリ６を”第１のメモリ６”と呼ぶこととする。
【００８０】
マイクロプロセッサ２０は、自らの動作クロック（例えば２７ＭＨｚ）の他に、基準クロックも基準クロック発生回路１１から得ている。従って、マイクロプロセッサ２０は、内部に基準クロック情報を保持している。マイクロプロセッサ２０は、この基準クロック情報等を用いて、メモリ６からの再生データの読み出し制御を基本的には実施例１と同様の手法で行っている。
【００８１】
マイクロプロセッサ２０は、第１のメモリ６へのアドレスの指定をアドレスバスを通じて出力する。第１のメモリ６は、当該アドレスに格納されているデータを読み出して、データバスに出力する。マイクロプロセッサ２０は、データバスに出力された該データを、第２のメモリ１９に格納する。この場合、マイクロプロッサ２０は、該データに含まれているビデオデータ、オーディオデータ、付加データ、さらにはパックヘッダを判別し、第２のメモリ１９上にてこれらを容易に区別できるようにしておく。例えば、これらをデータの種類（ビデオデータ、オーディオデータ、パックヘッダ）ごとに分けて、異なる記憶領域に格納する。
【００８２】
さらに第１のメモリ６から読み出したデータがパックヘッダであった場合、マイクロプロセッサ２０は、該パックヘッダに含まれている再生クロック情報およびビットレート情報を解析し、その結果得られたアドレスからデータを読み出す。
【００８３】
マイクロプロセッサ２０は、第２のメモリ１９に蓄えられた各々のデータを読み出す際に、これらのデータを伝送パケット化する。マイクロプロセッサ２０は、該伝送パケットを、伝送バスインタフェース１２を介して伝送バスに送出する。
【００８４】
システムコントローラインタフェース２１は、伝送バス，伝送バスインタフェース１２を介して送られてくるコマンドを検出し、本再生装置のシステムコントローラ（図示せず）に送出する。また、逆にシステムコントローラから送られてくるステータス情報を、伝送バスインタフェース１２を介して伝送バスに送出する。
【００８５】
本実施例では、第１のメモリ６の読み出し制御や全てのデータの伝送パケット化をマイクロプロセッサ２０で行っている。そのため、第１の実施例（図１参照）に比べて大幅に低コスト化が可能である。
【実施例５】
【００８６】
本発明の第５の実施例を説明する。
【００８７】
本実施例のディジタルビデオ・オーディオデータの再生装置の構成を図８に示した。
【００８８】
第１の実施例（図１），第４の実施例（図７）と同一の機能を有するブロックには同一の番号を付けている。
【００８９】
該第５の実施例は、前記回転駆動部２、トラッキング制御部４、再生信号処理回路５を、マイクロプロセッサ２０のアドレスバス、データバスに接続している点が、第４の実施例とは異なる。さらに第２のメモリ１９を備えていない点が異なっている。ここでは、第１のメモリ６を単に”メモリ６”と記すことにする。
【００９０】
本実施例ではマイクロプロセッサ２０は、再生信号処理回路５からの再生データを、直接メモリ６に格納する。この場合、再生データは、その時間順をそのまま復元できるようにしておく。
【００９１】
その後、マイクロプロセッサ２０は、該メモリ６から再生データを読み出す。再生データの伝送パケット化は、この読み出し時に行う。読み出したデータがパックヘッダであった場合、マイクロプロセッサ２０は、基準クロック情報と当該パックヘッダに含まれていた再生クロック情報とを比較する。そして、その比較結果とビットレート情報とに基づいて、メモリ６からの読み出しを制御する。
【００９２】
マイクロプロセサ２０は、該メモリ６におけるデータ占有率も監視している。そして、該メモリ６にデータを書き込む余裕がある場合には、マイクロプロセッサ２０は、新たなデータの読み取りを指示する。つまり、トラッキング制御部４にピックアップ３に読み取らせるべきデータの書き込まれているトラックを示す情報（再生トラック情報）を指示するとともに、再生信号処理回路５からは新たなデータをメモリ６に書き込む。
【００９３】
マイクロプロセッサ２０は、回転駆動部２にも接続されている。従って、マイクロプロセッサ２０は、伝送バスインタフェース１２を介して入力されるスタート、ストップなどの命令に基づいて各部を制御するシステムコントローラとしての役割をも担う。
【００９４】
本実施例では、実施例４におけるメモリ１９に相当するメモリが不要である。また、再生データの読み出し制御、伝送パケット化、システムのコントロールを、１個のマイクロプロセッサで行うため、第４の実施例（図７）に比べてさらに低コスト化が可能である。
【００９５】
第４および第５の実施例は、第１の実施例と同様、メモリ６（あるいはメモリ１９からの再生データの読み出しを、再生クロック情報と基準クロック情報との比較結果ならびにビットレート情報で制御していた。しかし、第３の実施例（図５）と同様に、外部から入力されるリクエストに従って再生データの読み出しを制御するようにしてもよい。これは、伝送バスから入力される再生データのリクエストを、マイクロプロセッサ２０が検出するようにすることで容易に実現可能である。
【００９６】
さらに上述した第１〜第５の実施例は、記録媒体としてディスクを用いたビデオディスクプレーヤであった。しかし、本発明の適用範囲はこれに限定されるものではない。テープ媒体を用いたビデオテープ再生装置にも適用可能である。
【符号の説明】
【００９７】
１…ディスク、５…再生信号処理回路、６…メモリ、７…メモリ制御回路、８…伝送パケット生成回路、９…パックヘッダ解析回路、１０…比較回路、１１…基準クロック発生回路、１２…伝送バスインタフェース回路、１３…付加データ抽出・伝送パケット生成回路、１４…オーディオデータ抽出・伝送パケット生成回路、１５…ビデオデータ抽出・伝送パケット生成回路、１６…パックヘッダ解析・伝送パケット生成回路、１８…リクエスト検出回路、１９…メモリ、２０…マイクロプロセッサ、１００…デコーダ・ディスプレイ装置、５００…ビデオディスクプレーヤ
【図１】
2010051002.tif 000003
【図２】
2010051002.tif 000004
【図３】
2010051002.tif 000005
【図４】
2010051002.tif 000006
【図５】
2010051002.tif 000007
【図６】
2010051002.tif 000008
【図７】
2010051002.tif 000009
【図８】
2010051002.tif 000010
【手続補正書】
【提出日】平成21年10月19日(2009.10.19)
【手続補正１】
【補正対象書類名】特許請求の範囲
【補正対象項目名】全文
【補正方法】変更
【補正の内容】
【特許請求の範囲】
【請求項１】
再生のタイミングを示す再生クロック情報を有するヘッダを含んで構成され、且つ、符号化された、ビデオ・オーディオデータが記録されている記録媒体の再生方法において、
上記記録媒体から前記符号化されたままのビデオ・オーディオデータを読み出すデータ読み出しステップと、
上記読み出された再生データを一時格納するメモリステップと、
上記メモリステップにおける再生データの読み出しを制御するメモリ制御ステップと、
上記メモリステップにて読み出された再生データに含まれているヘッダを解析し、上記再生クロック情報を抽出するヘッダ情報解析ステップと、
上記ビデオ・オーディオデータを上記メモリステップにて読み出すタイミングの判定基準となる基準クロック情報を発生させる基準クロック情報発生ステップと、
上記ヘッダ情報解析ステップの抽出した上記再生クロック情報と、上記基準クロック情報とを比較するクロック情報比較ステップと、
上記メモリステップにて読み出された再生データをパケット化するパケット生成ステップと、
上記パケット化された再生データを復号し、ビデオ・オーディオデータを生成する復号ステップと、
を備え、
上記メモリ制御ステップは、上記クロック情報比較ステップにおける比較結果に基づいて、上記メモリステップにおける再生データの読み出しを制御すること、
を特徴とするビデオ・オーディオデータの再生復号方法。
【請求項２】
請求項１において、
上記ヘッダはビットレート情報を有し、
上記ヘッダ情報解析ステップでは、上記ヘッダを解析し、上記ビットレート情報を抽出し、
上記メモリ制御ステップは、上記ヘッダ情報解析ステップにて抽出した上記ビットレート情報に基づいて、上記メモリステップにおける再生データの読み出しを制御すること、
を特徴とするビデオ・オーディオデータの再生復号方法。
【請求項３】
上記メモリ制御ステップは、上記再生クロック情報の示すタイミングにおいて、当該再生クロック情報の含まれていたヘッダに対応する再生データを、上記メモリステップにて読み出し始めさせるとともに、上記ビットレート情報に従って該読み出しを断続するように制御すること、
を特徴とする請求項２に記載のビデオ・オーディオデータの再生復号方法。
【請求項４】
前記パケット生成ステップは、ビデオデータとオーディオデータとを、別々のパケットにするものであること、
を特徴とする請求項１ないし３のいずれかに記載のビデオ・オーディオデータの再生復号方法。
【請求項５】
上記ヘッダ情報解析ステップと、上記基準クロック情報発生ステップと、上記クロック情報比較ステップと、のうちの少なくとも１つは、マイクロプロセッサによって実行されること、
を特徴とする請求項１ないし４のいずれかに記載のビデオ・オーディオデータの再生復号方法。
【請求項６】
上記パケット生成ステップは、マイクロプロセッサによって実行されること、
を特徴とするビデオ・オーディオデータの再生装置。
【手続補正２】
【補正対象書類名】明細書
【補正対象項目名】００７４
【補正方法】変更
【補正の内容】
【００７４】
なお、デコーダ・ディスプレイ装置１００（図３参照）の伝送バスに本実施例の再生装置をつないで使用する場合には、デコーダ・ディスプレイ装置１００の一部（ビデオ復号器１０６、オーディオ復号器１０７等）を変更する必要がある。つまり、放送レシーバ２００や通信レシーバ３００の受信データを復号する場合と、ビデオディスクプレーヤ５００などの再生データを復号する場合とで、復号手順の一部を変更する必要がある。
【手続補正３】
【補正対象書類名】明細書
【補正対象項目名】００６１
【補正方法】変更
【補正の内容】
【００６１】
回路１３〜１６の各々は、再生データの中から特定の内容（種類）のデータのみを抽出し、該抽出したデータのみで構成された伝送パケットを生成する。例えば、付加データ抽出伝送パケット生成回路１３はメモリ６から送られてきたデータの中から付加データのみを抽出する。さらに、この抽出した付加データを適宜まとめることで、付加データ伝送パケットを生成する。そして、この付加データ伝送パケットを、再多重化回路１７に出力する。
【手続補正４】
【補正対象書類名】明細書
【補正対象項目名】００６２
【補正方法】変更
【補正の内容】
【００６２】
同様に、オーディオデータ抽出・伝送パケット生成回路１４は、オーディオデータを抽出してオーディオデータ伝送パケットを生成し、これを再多重化回路１７に出力する。また、ビデオデータ抽出・伝送パケット生成回路１５は、ビデオデータを抽出してビデオデータ伝送パケットを生成し、これを再多重化回路１７に出力する。
【手続補正５】
【補正対象書類名】明細書
【補正対象項目名】００６４
【補正方法】変更
【補正の内容】
【００６４】
再多重化回路１７は、伝送パケット化された付加データ、オーディオデータ、ビデオデータ、パックヘッダ情報を伝送パケット単位で再多重する。そして、該再多重化によって得られた信号を、伝送バスインタフェース１２を介して送出する。
【手続補正６】
【補正対象書類名】明細書
【補正対象項目名】０００９
【補正方法】変更
【補正の内容】
【０００９】
本発明は上記目的を達成するためになされたもので、例えば特許請求の範囲に記載され
た発明を解決手段として提供する。
【手続補正７】
【補正対象書類名】明細書
【補正対象項目名】００１０
【補正方法】削除
【補正の内容】
【手続補正８】
【補正対象書類名】明細書
【補正対象項目名】００１１
【補正方法】削除
【補正の内容】
【手続補正９】
【補正対象書類名】明細書
【補正対象項目名】００１２
【補正方法】削除
【補正の内容】
【手続補正１０】
【補正対象書類名】明細書
【補正対象項目名】００１３
【補正方法】削除
【補正の内容】
【手続補正１１】
【補正対象書類名】明細書
【補正対象項目名】００１４
【補正方法】削除
【補正の内容】
【手続補正１２】
【補正対象書類名】明細書
【補正対象項目名】００１５
【補正方法】削除
【補正の内容】
【手続補正１３】
【補正対象書類名】明細書
【補正対象項目名】００１６
【補正方法】削除
【補正の内容】
【手続補正１４】
【補正対象書類名】明細書
【補正対象項目名】００１７
【補正方法】削除
【補正の内容】
【手続補正１５】
【補正対象書類名】明細書
【補正対象項目名】００１８
【補正方法】削除
【補正の内容】
【手続補正１６】
【補正対象書類名】明細書
【補正対象項目名】００１９
【補正方法】削除
【補正の内容】
【手続補正１７】
【補正対象書類名】明細書
【補正対象項目名】００２０
【補正方法】削除
【補正の内容】
【手続補正１８】
【補正対象書類名】明細書
【補正対象項目名】００２１
【補正方法】削除
【補正の内容】
【手続補正１９】
【補正対象書類名】明細書
【補正対象項目名】００２２
【補正方法】削除
【補正の内容】
【手続補正２０】
【補正対象書類名】明細書
【補正対象項目名】００２３
【補正方法】削除
【補正の内容】
【手続補正２１】
【補正対象書類名】明細書
【補正対象項目名】００２４
【補正方法】削除
【補正の内容】
【手続補正２２】
【補正対象書類名】明細書
【補正対象項目名】００２５
【補正方法】削除
【補正の内容】
【手続補正２３】
【補正対象書類名】明細書
【補正対象項目名】００２６
【補正方法】削除
【補正の内容】
【手続補正２４】
【補正対象書類名】明細書
【補正対象項目名】００２７
【補正方法】削除
【補正の内容】
【手続補正２５】
【補正対象書類名】明細書
【補正対象項目名】００２８
【補正方法】削除
【補正の内容】
【手続補正２６】
【補正対象書類名】明細書
【補正対象項目名】００２９
【補正方法】削除
【補正の内容】
【手続補正２７】
【補正対象書類名】明細書
【補正対象項目名】００３０
【補正方法】削除
【補正の内容】
【手続補正２８】
【補正対象書類名】明細書
【補正対象項目名】００３１
【補正方法】削除
【補正の内容】
【手続補正２９】
【補正対象書類名】明細書
【補正対象項目名】００３２
【補正方法】変更
【補正の内容】
【００３２】
以上説明したように本発明では、放送、通信とのインタオペラビリティが得られる再生復号方法が実現できる。
【手続補正３０】
【補正対象書類名】明細書
【補正対象項目名】００９６
【補正方法】変更
【補正の内容】
【００９６】
さらに上述した第１〜第５の実施例は、記録媒体としてディスクを用いたビデオディス
クプレーヤであった。しかし、本発明の適用範囲はこれに限定されるものではない。テー
プ媒体を用いたビデオテープ再生装置にも適用可能である。
なお、本実施例は次のようにも表現できる。
本実施例は放送、通信とのインタオペラビリティを有する記録媒体の再生装置を提供す
るという目的を達成するためになされたもので、その第１の態様としては、再生のタイミ
ングを示す再生クロック情報と、ビットレート情報とを有するヘッダを含んで構成され、
且つ、符号化された、ビデオ・オーディオデータが記録されている記録媒体の再生装置に
おいて、上記記録媒体からビデオ・オーディオデータを読み出すデータ読み出し手段と、
上記読み出された再生データを一時格納するメモリ手段と、上記メモリ手段からの再生デ
ータの読み出しを制御するメモリ制御手段と、上記メモリ手段から読み出された再生デー
タに含まれているヘッダを解析し、上記再生クロック情報および上記ビットレート情報を
抽出するヘッダ情報解析手段と、上記ビデオ・オーディオデータを上記メモリ手段から読
み出すタイミングの判定基準となる基準クロック情報を発生させる基準クロック情報発生
手段と、上記ヘッダ情報解析手段の抽出した上記再生クロック情報と、上記基準クロック
情報とを比較するクロック情報比較手段と、上記メモリ手段から読み出された再生データ
を本再生装置の外部に送出するインタフェース手段と、を備え、上記メモリ制御手段は、
上記クロック情報比較手段による比較結果および上記ヘッダ情報解析手段の抽出した上記
ビットレート情報に基づいて、上記メモリ手段からの再生データの読み出しを制御するも
のであること、を特徴とするビデオ・オーディオデータの再生装置が提供される。
上記メモリ制御手段は、上記再生クロック情報の示すタイミングにおいて、当該再生ク
ロック情報の含まれていたヘッダに対応する再生データを、上記メモリ手段から読み出し
始めさせるとともに、上記ビットレート情報に従って該読み出しを断続するものであるこ
とが好ましい。
上記メモリ手段から読み出された再生データをパケット化する伝送パケット生成手段を
備え、前記インタフェース手段は、上記伝送パケット生成手段によってパケット化された
再生データを送出するものであることが好ましい。
前記伝送パケット生成手段は、ビデオデータとオーディオデータとを、別々のパケット
にするものであることが好ましい。
前記インタフェース手段は、外部から入力されるコマンドの入力を受け付けるものであ
ることが好ましい。
上記ヘッダ情報解析手段と、上記基準クロック情報発生手段と、上記クロック情報比較
手段と、のうちの少なくとも１つは、マイクロプロセッサを含んで構成されることが好ま
しい。
上記伝送パケット生成手段は、マイクロプロセッサを含んで構成されることが好ましい
。
本実施例の第２の態様としては、符号化されたビデオ・オーディオデータが記録されて
いる記録媒体の再生装置において、上記記録媒体からビデオ・オーディオデータを読み出
すデータ読み出し手段と、上記データ再生手段が読み出したデータ（”再生データ”と呼
ぶ）を一時格納するメモリ手段と、本再生装置の外部に再生データを送出するとともに、
外部から入力されるコマンドおよび再生データの要求信号を受け付けるインタフェース手
段と、前記インタフェースの受け付けた再生データの要求信号に基づいて前記メモリ手段
からの再生データの読み出しを制御するメモリ制御手段を有すること、を特徴とするビデ
オ・オーディオデータの再生装置が提供される。
上記メモリ制御手段は、マイクロプロセッサを含んで構成されることが好ましい。
再生データをパケット化する伝送パケット生成手段を備え、前記インタフェース手段は
、上記伝送パケット生成手段によってパケット化された再生データを送出するものである
ことが好ましい。
上記伝送パケット生成手段は、マイクロプロセッサを含んで構成されることが好ましい
。
本実施例の第３の態様としては、符号化されたビデオ・オーディオデータが記録されて
いる記録媒体の再生装置と、符号化されたビデオ・オーディオデータを復号化する手段を
有するデコード装置と、音声および／または画像を出力可能な出力装置と、を含んで構成
されたビデオ・オーディオデータの再生システムにおいて、上記再生装置は、メモリを備
え、符号化されたままのビデオ・オーディオデータを上記記録媒体から読み出して該メモ
リに一旦格納した後、所定のタイミングで、上記デコード装置へ送出するものであり、上
記デコーダ装置は、メモリを備え、上記再生装置から順次送られてくる符号化されたまま
のビデオ・オーディオデータを、該メモリに一旦格納した後復号し、上記出力装置から音
声および／または画像として出力させるものであり、上記デコーダ装置は、さらに、上記
再生装置へ動作の命令信号を送出するものであり、上記再生装置は、さらに、上記デコー
ダ装置から送られてくる命令信号に従って動作するものであること、を特徴とするビデオ
・オーディオデータの再生システムが提供される。
第１の態様について説明する。
データ読み出し手段は、記録媒体からビデオ・オーディオデータを読み出し、メモリ手
段に格納する。インタフェース手段は、メモリ手段から読み出された再生データを外部に
送出する。なお、伝送パケット生成手段を有している場合には、インタフェース手段は伝
送パケット生成手段がパケット化した再生データを送出する。伝送パケット生成手段が、
ビデオデータとオーディオデータとを、別々のパケットにする場合には、伝送パケットを
通信等の伝送方式に合わせることができる。
ヘッダ情報解析手段は、メモリ手段から読み出された再生データに含まれているヘッダ
を解析し、再生クロック情報およびビットレート情報を抽出する。一方、基準クロック情
報発生手段は、ビデオ・オーディオデータをメモリ手段から読み出すタイミングの判定基
準となる基準クロック情報を発生させている。クロック情報比較手段は、ヘッダ情報解析
手段の抽出した再生クロック情報と、基準クロック情報とを比較する。メモリ制御手段は
、クロック情報比較手段による比較結果およびヘッダ情報解析手段の抽出したビットレー
ト情報に基づいて、メモリ手段からの再生データの読み出しを制御する。つまり、メモリ
制御手段は、再生クロック情報の示すタイミングにおいて、その再生クロック情報の含ま
れていたヘッダに対応する再生データを、メモリ手段から読み出し始めさせる。この場合
、ビットレート情報に従って該読み出しを断続する。これにより、再生したクロック情報
の時間間隔を保つと共に、伝送するビットレートが、略再生したビットレート情報に合う
ようにする。
インタフェース手段は、外部から入力されるコマンドの入力を受け付けるようにしても
よい。
マイクロプロセッサを含んで構成した回路に、ヘッダ情報解析手段、基準クロック情報
発生手段、クロック情報比較手段、伝送パケット生成手段を兼ねさせれば装置コストを低
減できる。
本実施例の第２の態様の作用を説明する。データ読み出し再生手段は、記録媒体からビ
デオ・オーディオデータを読み出して、メモリ手段に格納する。
インタフェース手段は、メモリ手段から読み出された再生データを、外部に再生データ
を送出する。なお、伝送パケット生成手段を有している場合には、インタフェース手段は
伝送パケット生成手段がパケット化した再生データを送出する。また、インタフェース手
段は、外部から入力されるコマンドおよび再生データの要求信号を受け付ける。
メモリ制御手段は、インタフェースの受け付けた再生データの要求信号に基づいてメモ
リ手段からの再生データの読み出しを制御する。
なお、マイクロプロセッサを含んで構成した回路に、伝送パケット生成手段、メモリ制
御手段を兼ねさせれば、装置コストを低減できる。
本実施例の第３の態様について説明する。
再生装置は、符号化されたままのビデオ・オーディオデータを記録媒体から読み出して
メモリに一旦格納した後、所定のタイミングで、デコード装置へ送出する。デコーダ装置
は、再生装置から順次送られてくる符号化されたままのビデオ・オーディオデータを、メ
モリに一旦格納する。そして、これを復号し、出力装置から音声および／または画像とし
て出力させる。
また、デコーダ装置は、再生装置へ動作の命令信号を送出する。再生装置は、デコーダ
装置から送られてくる命令信号に従って動作する。
以上説明したとおり、本実施例のビデオ・オーディオデータ再生装置は、符号化された
ままのビデオ・オーディオデータを送出できる。デコーダ・ディスプレイ装置は、放送や
通信のデコーダが送出する受信データを復号するのと同じく、データのオーバフローやア
ンダーフローなしで、ビデオ・オーディオデータ再生装置の再生データを復号することが
可能となる。